(57)【特許請求の範囲】
【請求項１】
河川の横断方向に河川底近傍の深さまで到達する一又は複数のスリットを設けて成るスリット型砂防堰堤であって、
前記スリットは、平面的に見て上流側の幅が狭く、下流側の幅が広く形成されていることを特徴とする、スリット型砂防堰堤。
【請求項２】
スリット型砂防堰堤は、その上流側及び下流側の外壁材が千鳥状配置に組み上げられた鋼矢板から成り、スリットを形成する側壁面の外壁材は鋼板から成ること、
前記外壁材の内部にコンクリート等の中詰材が充填され、堰堤の天端を保護するコンクリートが打設されていることを特徴とする、請求項１に記載したスリット型砂防堰堤。
【請求項３】
スリット型砂防堰堤は、コンクリートで構成されていることを特徴とする、請求項１に記載したスリット型砂防堰堤。
【請求項４】
スリットを形成する側壁面の上流側角部に、Ｒ加工が施されていることを特徴とする、請求項１〜３のいずれか一に記載したスリット型砂防堰堤。
【請求項５】
スリットを形成する少なくとも一方の側壁面が、平面的に見て上流側から下流側に向かってスリット幅が拡大する片傾斜形状とされていることを特徴とする、請求項１〜４のいずれか一に記載したスリット型砂防堰堤。
【発明の詳細な説明】
【０００１】
【発明の属する技術分野】
この発明は、スリット型砂防堰堤の技術分野に属する。更に云えば、砂防堰堤のスリットが捕捉した巨石や流木を除去する作業が容易な構成のスリット型砂防堰堤に関する。
【０００２】
【従来の技術】
従来のスリット型砂防堰堤は、スリットを河川の横断方向に河川底近傍の深さまで到達させ、平面的に見て上流側のスリット幅と下流側のスリット幅がほぼ同一（平行）に形成された一又は複数のスリットを設けて成る砂防堰堤が公知に属する。
【０００３】
この砂防堰堤は、通常は土砂を下流に流出させて河岸等の侵食を防止し、洪水時には縮流効果による堰上げ効果によって砂防堰堤の上流側に冠水域を作り、土砂を貯留させて流出調整が図られる。そして、減水時になると土砂を下流に流出させて、土砂の堆積による機能低下を防ぐ構成とされている。また、スリットを魚道として機能させ、生態系と調和した構成ともされている。
【０００４】
【本発明が解決しようとする課題】
しかし、従来の砂防堰堤のスリット形状では、捕捉した巨石や流木がスリット内部に食い込んで詰まってしまう問題がある。
【０００５】
通常、砂防堰堤は、起伏が激しい急斜面の山間部に設置されることが多く、重機を持ち込むことは難しい。従って、スリット内部に詰まった巨石や流木を除去してスリットを開通させる作業は、ほとんど人力に頼るしかなく、大変な重労働である。仮に重機を持ち込んだとしても、狭いスリット内部に食い込んで詰まった巨石等を取り除く作業は困難を極め、場合によってはその状態で放置される。
【０００６】
また、洪水時に貯留された土砂が、減水時に急激にスリットから流出するため、流出土砂の圧力によってスリット、ひいては砂防堰堤が損傷する虞がある。
【０００７】
従って、本発明の目的は、砂防堰堤のスリットが捕捉した巨石や流木を除去してスリットを開通させる作業が容易で、流出土砂によって砂防堰堤のスリットが損傷しにくい構成のスリット型砂防堰堤を提供することである。
【０００８】
【課題を解決するための手段】
上記従来技術の課題を解決するための手段として、請求項１に記載した発明に係るスリット型砂防堰堤は、
河川の横断方向に河川底近傍の深さまで到達する一又は複数のスリットを設けて成るスリット型砂防堰堤であって、
前記スリットは、平面的に見て上流側の幅が狭く、下流側の幅が広く形成されていることを特徴とする。
【０００９】
請求項２記載の発明は、請求項１に記載したスリット型砂防堰堤において、
スリット型砂防堰堤は、その上流側及び下流側の外壁材が千鳥状配置に組み上げられた鋼矢板から成り、スリットを形成する側壁面の外壁材は鋼板から成ること、
前記外壁材の内部にコンクリート等の中詰材が充填され、堰堤の天端を保護するコンクリートが打設されていることを特徴とする。
【００１０】
請求項３記載の発明は、請求項１に記載したスリット型砂防堰堤において、
スリット型砂防堰堤は、コンクリートで構成されていることを特徴とする。
【００１１】
請求項４記載の発明は、請求項１〜３のいずれか一に記載したスリット型砂防堰堤において、
スリットを形成する側壁面の上流側角部に、Ｒ加工が施されていることを特徴とする。
【００１２】
請求項５記載の発明は、請求項１〜４のいずれか一に記載したスリット型砂防堰堤において、
スリットを形成する少なくとも一方の側壁面が、平面的に見て上流側から下流側に向かってスリット幅が拡大する片傾斜形状とされていることを特徴とする。
【００１４】
【本発明の実施の形態、及び実施例】
以下に、請求項１、２及び請求項６に記載した発明に係るスリット型砂防堰堤の実施形態を、図１及び図２に基づいて説明する。
【００１５】
図１のスリット型砂防堰堤１は河川の横断方向に構築されている。この砂防堰堤１の上部中央付近に堰２が設けられ、前記堰２の略中央部に河川底近傍の深さまで到達する一個のスリット３を設けている。特に本発明の場合、前記スリット３は、図２の概略平面図に示すように、平面的に見ると上流側から下流側に向かって直線的に幅寸が拡大するハの字形状とされている。即ち、上流側の幅寸Ｌが最少幅で、下流側の幅寸Ｌ’が最大幅となるように形成されている。一例として、このスリット３の上流側の幅寸Ｌは、洪水時に到達することが予想される最大礫の径（概ね１ｍ程度）のほぼ１．５倍を目処に２ｍ程度に形成されている。
【００１６】
スリット底面が河川底近傍にあることは、砂防堰堤上下流における流れの連続性を保ち、魚類をはじめとする生物の上下流への行き来をスムーズにする。
【００１７】
上記構造のスリット型砂防堰堤１は、その上流側及び下流側の外壁材を、千鳥状配置に組上げた複数枚の鋼矢板４…で構成している。スリット３を形成する各側壁面３ａの外壁材は鋼板５で構成し、前記鋼矢板４及び鋼板５を型枠代用として中詰材であるコンクリート６を打設して構築されている（請求項２記載の発明）。なお、本実施形態では中詰材としてコンクリート６を用いるが、ＬＵＣ材又はソイルセメントでも同様に実施できる。
【００１８】
前記鋼矢板４と鋼板５は、予め工場等で人力により持ち運びができる大きさ、重量に加工して現場に搬入される。
【００１９】
鋼矢板４…は、腹起こし材及びタイロッド（図示を省略）を利用して千鳥状配置に強固に組み上げられ、スリット３を形成すべく平面的に見てハの字形状に組み上げられた鋼板５と連結部材及び溶接等の手段を用いて強固に接合され、型枠代用とするにあたり、必要十分な強度を発現させる（図示を省略）。
【００２０】
前記鋼矢板４及び鋼板５の内部にコンクリート６が充填され、強度が発現した後に、同コンクリート６の上部に砂防堰堤１の天端を保護するコンクリート７が更に打設され、砂防堰堤１が完成されている。
【００２１】
上記構造のスリット型砂防堰堤１の場合、スリット３で捕捉されるべき巨石は、上流側の入口ですべて捕捉される。上流側の入口を通過し得る巨石は、途中でスリット３の内部に食い込んで詰まることがほとんどなく、通過していく。万一スリット３の内部に詰まった場合でも、従来のスリット内部と比較して作業空間が広いので、巨石の除去を容易に行うことができる。一方、入口で捕捉された巨石は、入口を通過できる大きさに解砕加工すれば、そのまま容易に除去することができ、スリット３を再生する作業が容易である。
【００２２】
また、上記スリット３の場合は、縮流効果による堰上げ効果が低減し、洪水時でも適度に土砂が下流へ流出する。そのため、減水時の急激な土砂の流出を防ぎ、スリット３が損傷する虞を低減することができる。スリット３の内部が下流に向かうにつれて拡幅していることから流水の側壁面３ａに作用するせん断力が低減され、摩耗に対する損傷が低減される。
【００２３】
下流側のスリット幅が広がることで上流側から見通せる視界が広がり景観性が向上することは勿論、魚類など生物の通過にも支障がない。
【００２４】
図３及び図４のスリット型砂防堰堤１１は、基本的に図１及び図２のスリット型砂防堰堤１と略同様の構成であるが、スリット３を形成する各側壁面３ａの上流側角部３ｂにＲ加工が施された構成を特徴としている（請求項４記載の発明）。Ｒ加工が施されることにより、スリット３の内部に流入する水を速やかに下流側へ排出させることができ、且つ下流側の河川底の侵食を防止または低減させることができる。
【００２５】
上記スリット型砂防堰堤１１は、スリット３の上流側の角部３ｂの強度を確保した構造となっており、捕捉される巨石が角部３ｂに衝突しても、角部３ｂが欠けて損傷することが少ない。
【００２６】
図５及び図６のスリット型砂防堰堤２１も、基本的に図１及び図２のスリット型砂防堰堤１と略同様の構成であるが、スリット３の形状が少し異なる。 即ち、スリット３を形成する側面壁３ａ，３ａのうち一方の側壁面３ａのみが平面的に見て上流側から下流側に向かってスリット幅が拡大する片傾斜形状とされ、他方の側壁面３ａは水流とほぼ平行な面に形成されている（請求項５記載の発明）。
【００２７】
図７に示す実施形態は、河川の横断方向に二個のスリット３、３が併設されたスリット型砂防堰堤３１を示している。この場合、図８の概略平面図に示すように、各スリット３の河岸側に位置する側壁面３ａが平面的に見て上流側から下流側に向かって拡大する片傾斜形状とされ、河川中央部近傍に位置する側壁面３ａは水流とほぼ平行な面に形成されている。スリット３、３の間の堰堤片３１ａの強度が増し、しかもコンクリート打設の際の型枠施工が容易となる。なお、スリット３の個数は、砂防堰堤が構築される現場に応じて適宜変更される。また、スリット３の形状は、図２に示したスリット形状とされていても同様に実施できる。
【００２８】
なお、上記実施形態では、外壁材として鋼矢板４と鋼板５を用い、その内部にコンクリート６が充填された構成であるが、コンクリート砂防堰堤として構成されていても良い（請求項３記載の発明）。
【００２９】
【本発明の奏する効果】
請求項１〜６に記載した発明に係るスリット型砂防堰堤は、スリットが平面的に見て上流側の幅寸が狭く、下流側の幅寸が広く形成されているため、スリットで捕捉される巨石は、上流側の入口ですべて捕捉され、一旦上流側の入口を通過した巨石は、途中でスリット内部に食い込んで詰まることがほとんどなく、通過していく。万一スリット内部に詰まった場合でも、従来のスリット内部と比較して作業空間が広いので、巨石の除去を容易に行うことができる。一方、入口で捕捉された巨石は、入口を通過できる大きさに解砕加工すれば、そのまま容易に除去することができ、スリットを再生する作業が容易である。
【００３０】
また、上記スリットの形状の場合、縮流効果による堰上げ効果が低減し、洪水時でも適度に土砂が下流へ流出する。そのため、減水時の急激な土砂の流出を防ぎ、スリットが損傷する虞を低減することができる。スリット内部が下流に向かうにつれて拡幅していることから流水の側壁面に作用するせん断力が低減され、摩耗に対する損傷が低減される。
【図面の簡単な説明】
【図１】本発明に係るスリッド型砂防堰堤の実施形態を示した斜視図である。
【図２】図１の概略平面図である。
【図３】スリットの上流側角部にＲ加工が施されたスリット型砂防堰堤の実施形態を示した斜視図である。
【図４】図３の概略平面図である。
【図５】スリットの形状が異なるスリット型砂防堰堤の実施形態を示した斜視図である。
【図６】図５の概略平面図である。
【図７】二個のスリットを設けたスリット型砂防堰堤の実施形態を示した斜視図である。
【図８】図７の概略平面図である。
【符号の説明】
１、１１、２１、３１、  スリット型砂防堰堤
３                      スリット
３ａ                    側壁面
３ｂ                    角部
４                      鋼矢板
５                      鋼板
６、７                  コンクリート
【図１】
0003884270.tif 000002
【図２】
0003884270.tif 000003
【図３】
0003884270.tif 000004
【図４】
0003884270.tif 000005
【図５】
0003884270.tif 000006
【図６】
0003884270.tif 000007
【図７】
0003884270.tif 000008
【図８】
0003884270.tif 000009